(57)【特許請求の範囲】
【請求項１】
給水用の配管に接続される一対の接続管部と、該接続管部から分岐されるとともに天井板の上部に架設された腕木に取り付けられる取付管部とで構成し、
前記一対の接続管部は、前記取付管部が前記腕木に取り付けられた状態で該腕木の上方に位置するものであり、
前記取付管部は、前記腕木に対して回り止めされた状態で取り付けられる回り止め管部と、該回り止め管部に対して回転可能に連結され前記接続管部に一体形成された回転自在管部とに分割して構成したことを特徴とする継手。
【請求項２】
前記一対の接続管部の延びる方向がなす角度を一定角度に設定したことを特徴とする請求項１に記載の継手。
【請求項３】
前記回り止め管部の端部に設けられたフランジと回転自在管部の端部に設けられたフランジとを突き合わせた状態でファスナーの保持孔に挟入し、回転自在管部を回り止め管部に連結したことを特徴とする請求項１又は請求項２に記載の継手。
【発明の詳細な説明】
【技術分野】
【０００１】
この発明は、例えばスプリンクラーヘッドと給水配管とを接続するために使用される継手に関するものである。
【背景技術】
【０００２】
従来、建築物の天井部に設けられるスプリンクラーヘッド用の配管路として、例えば図８及び図９に示すような構成が一般的に知られている。すなわち、建築物の天井部に複数の梁材３１が間隔をおいて配設され、その梁材３１の下部には天井板３２が張設されている。これら梁材３１の上部には水道水の配管３３が延長配置されている。そして、その配管３３の一部にスプリンクラーヘッド用の継手３４が接続されている。この継手３４はほぼＴ字状に形成され、配管３３に接続される一対の接続管部３４ａと、スプリンクラーヘッド３５を取り付けるための取付管部３４ｂとを備えている。
【０００３】
前記継手３４に対応して、梁材３１間の上部には腕木３６が架設されている。そして、継手３４の取付管部３４ｂが取付金具３７及び一対の取付ネジ３８により、腕木３６の側面に取り付けられている。この状態で、継手３４の取付管部３４ｂが天井板３２に形成された挿通孔３２ａに挿通配置され、その取付管部３４ｂの下端のネジ孔３４ｃに対して、天井板３２の下方からスプリンクラーヘッド３５がねじ込み固定されるようになっている。
【０００４】
この種の継手として、特許文献１に記載の給水配管継手が知られている。この給水配管継手はＴ字形状をなし、水平管部分は給水配管に接続されるとともに、垂直管部分はスプリンクラーヘッドに接続されている。垂直管部の内周には雌ねじが螺刻され、その端部には環状止水部材としてのＯリングが埋設されている。前記雌ねじの内奥部には段部が形成され、スプリンクラーヘッドの雄ねじを当該雌ねじに螺入したとき雄ねじの先端が段部に当たってそれ以上ねじ込まれないようになっている。
【先行技術文献】
【特許文献】
【０００５】
【特許文献１】特開２００５−１４７１６４号公報
【発明の概要】
【発明が解決しようとする課題】
【０００６】
前述した特許文献１に記載されている従来構成の継手はＴ字状に形成され、水平管部分が一直線状に延びていることから、給水配管がその方向に延びているときには一対の水平管部分にそれぞれ給水配管をそのまま接続することができる。しかしながら、給水配管がループ配管であって曲がりが困難な場合や、梁材、埋込み照明部、空調機器等の障害物が存在する場合には、一対の水平管部分に給水配管を接続することが困難であった。従って、継手を給水配管に接続するに当たり、給水配管の様々な状況に対応できる継手が求められている。
【０００７】
この発明は、このような従来の技術に存在する問題点に着目してなされたものであり、その目的とするところは、接続される配管の曲がりや障害物等に対して簡単に対処することができ、配管の接続作業を容易に行うことができる継手を提供することにある。
【課題を解決するための手段】
【０００８】
上記の目的を達成するために、請求項１に係る発明の継手は、給水用の配管に接続される一対の接続管部と、該接続管部から分岐されるとともに天井板の上部に架設された腕木に取り付けられる取付管部とで構成し、前記一対の接続管部は、前記取付管部が前記腕木に取り付けられた状態で該腕木の上方に位置するものであり、前記取付管部は、前記腕木に対して回り止めされた状態で取り付けられる回り止め管部と、該回り止め管部に対して回転可能に連結され前記接続管部に一体形成された回転自在管部とに分割して構成したことを特徴とする。
【０００９】
従って、この発明の継手では、取付管部の回転自在管部が回り止め管部に対して回転自在に構成されていることから、給水配管がループ配管で曲がりが困難な場合や、梁材、埋込み照明部、空調機器等の障害物が存在する場合であっても、一対の接続管部を給水用の配管に簡単に対向させることができる。そして、一対の接続管部に給水用の配管をそれぞれ速やかに接続することができる。
【００１０】
請求項２に記載の発明の継手では、請求項１に係る発明において、前記一対の接続管部の延びる方向がなす角度を一定角度に設定したことを特徴とする。
請求項３に記載の発明の継手では、請求項１又は請求項２に係る発明において、前記回り止め管部の端部に設けられたフランジと回転自在管部の端部に設けられたフランジとを突き合わせた状態でファスナーの保持孔に挟入し、回転自在管部を回り止め管部に連結したことを特徴とする。
【発明の効果】
【００１１】
前記のように、この発明の継手によれば、接続される配管の曲がりや障害物等に対して簡単に対処することができ、配管の接続作業を容易に行うことができるという効果を発揮する。
【図面の簡単な説明】
【００１２】
【図１】第１実施形態の継手をスプリンクラーヘッドに接続する状態を分解して示す斜視図。
【図２】同継手を背面側から見た状態を示す斜視図。
【図３】同継手の回り止め管部と回転自在管部とを分離した状態を示す斜視図。
【図４】同継手の接続管部及び回転自在管部を破断して示す断面図。
【図５】第２実施形態の継手を腕木に取り付ける状態を示す斜視図。
【図６】（ａ）は同継手の一対の接続管部の延びる方向がなす角度を６０°とした場合の継手の平面図、（ｂ）は同継手の一対の接続管部の延びる方向がなす角度を４５°とした場合の継手の平面図。
【図７】本発明の別例の継手を腕木に取り付ける状態を示す斜視図。
【図８】従来の継手を含む配管路の構成を示す部分断面図。
【図９】図８の９−９線における部分拡大断面図。
【発明を実施するための形態】
【００１３】
（第１実施形態）
以下に、この発明をスプリンクラーヘッド用の配管路に接続される継手に具体化した第１実施形態を、図１〜図４に従って説明する。
【００１４】
図１及び図２に示すように、図示しない建築物の天井部の梁材間に四角パイプ状の腕木２１が架設され、その腕木２１の一側上部には、給水用の配管２２が腕木２１と平行に延びるように配設されている。配管２２の一部には、スプリンクラーヘッド用の継手２３が接続されている。この継手２３はほぼＴ字状に形成され、配管２２に接続される一対の接続管部２３ａと、該接続管部２３ａの中央から直交方向に分岐して延び、スプリンクラーヘッド２４が取り付けられる取付管部２３ｂとより構成されている。
【００１５】
前記継手２３の取付管部２３ｂの外周背面には、回り止め部２５が設けられている。この回り止め部２５は、腕木２１の側面に当接可能な平面部２５Ａから構成されている。また、回り止め部２５の幅は取付管部２３ｂの外径とほぼ同じに形成されている。そして、この回り止め部２５としての平面部２５Ａが腕木２１の側面に当接された状態で、取付管部２３ｂが取付金具２６及び一対の取付ネジ２７により、腕木２１に締め付け固定されている。この固定により、継手２３が腕木２１に対して回り止めされた状態で取付支持されている。
【００１６】
この状態で、継手２３の取付管部２３ｂの下端部が、図示しない天井板に形成された挿通孔内に挿通配置されるようになっている。そして、前記スプリンクラーヘッド２４が取付管部２３ｂの下端部に形成されたネジ孔２３ｃに対して、天井板の下方からねじ込み固定されるようになっている。この場合、継手２３の取付管部２３ｂの外周面に設けられた回り止め部２５としての平面部２５Ａが腕木２１の側面に当接することにより、継手２３が腕木２１に対して回り止めされている。
【００１７】
前記取付管部２３ｂは、回り止め部２５が設けられた回り止め管部２８と、該回り止め管部２８に対して回転可能に形成され接続管部２３ａに一体形成された回転自在管部２９とに分割されている。図１〜図３に示すように、回り止め管部２８は前述のように回り止め部２５により腕木２１に対して回転不能に固定されている。一方、回転自在管部２９端部のフランジ２９ａが回り止め管部２８端部のフランジ２８ａに突き合わされ、その状態で両フランジ２９ａ，２８ａが板ばねよりなるファスナー３０に形成された複数の保持孔３０ａに挟入されている。この構成により、回転自在管部２９が回り止め管部２８に連結され、回転自在管部２９が回転自在になっている。なお、回り止め管部２８と回転自在管部２９との突き合わせ部には図示しないシール部材が装着され、水密に形成されている。
【００１８】
図３及び図４に示すように、前記回転自在管部２９内には停滞水防止板４１が接続管部２３ａ内の流路４３に臨み、該流路４３に直交するように支持されている。そして、接続管部２３ａ内の水が図４の矢印に示すように、停滞水防止板４１の周囲を回わるように構成されている。
【００１９】
次に、以上のように構成された第１実施形態の継手２３の作用を説明する。
さて、給水用の配管２２に継手２３の一対の接続管部２３ａを接続する場合には、一対の接続管部２３ａに配管２２を近づけて順に螺合接続する。このとき、回転自在管部２９は回り止め管部２８に対してファスナー３０を用いた連結構成により、自由に回転できるようになっていることから、一対の接続管部２３ａを任意の方向に向けることができる。そのため、配管２２が一直線状に延びていない場合であっても、接続管部２３ａを配管２２の方向に向けることができ、接続管部２３ａと配管２２との接続を支障なく、速やかに行うことができる。
【００２０】
さらに、継手２３の回り止め管部２８をスプリンクラーヘッド２４に接続するとともに、一対の接続管部２３ａを給水用の配管２２に接続した後配管２２に給水すると、図４の矢印に示すように接続管部２３ａ内の水が流路４３から取付管部２３ｂ内へ流れ、停滞水防止板４１の周囲を回って接続管部２３ａ内の流路４３へと流れる。このため、取付管部２３ｂ内における水の停滞が抑制される。
【００２１】
従って、この第１実施形態によれば、以下のような効果を得ることができる。
（１）この継手２３によれば、回り止め管部２８に対して回転自在管部２９が回転自在に構成されていることから、一対の接続管部２３ａを任意の角度で配管２２に接続することができる。従って、ループ配管等の配管２２の曲がりが困難な場合や梁材、埋込み照明部、空調機器等の障害物がある場合などにおいても、配管２２に継手２３の接続管部２３ａを接続する作業を容易かつ迅速に行うことができる。
（２）前記ファスナー３０には保持孔３０ａが設けられ、該保持孔３０ａに回り止め管部２８の端部に設けられたフランジ２８ａ及び回転自在管部２９の端部に設けられたフランジ２９ａが突き合わされた状態で挟入されて連結されている。このため、両フランジ２８ａ，２９ａをファスナー３０で連結するという簡単な構成で、回転自在管部２９を回り止め管部２８に対して回転自在に形成することができる。
（３）さらに、取付管部２３ｂ内には停滞水防止板４１が配置されていることから、取付管部２３ｂ内の水が停滞することなく流通して新しい水に入れ替わり、停滞水による衛生上の問題を解消することができる。
（４）加えて、継手２３の取付管部２３ｂに対するスプリンクラーヘッド２４のねじ込み固定時に、継手２３が取付管部２３ｂの軸線を中心に妄動回転することはなく、継手２３の接続管部２３ａと配管２２との接続部に無理な力が加わることを抑制することができる。
（第２実施形態）
次に、この発明を具体化した継手２３の第２実施形態を、前記第１実施形態と異なる部分を中心に説明する。
【００２２】
この第２実施形態においては、図５に示すように、継手２３は給水用の配管２２に接続される一対の接続管部２３ａと、これら接続管部２３ａに対して直交方向に分岐する取付管部２３ｂとにより構成されている。一対の接続管部２３ａは、それらの延びる方向がなす角度αが一定角度、すなわち９０°に設定されている。なお、この第２実施形態の継手２３においても、第１実施形態と同様に回転自在管部２９が回り止め管部２８に対して回転自在に構成されるとともに、取付管部２３ｂ内には停滞水防止板４１が設けられ、取付管部２３ｂ内の水の停滞が抑制されている。
【００２３】
従って、この第２実施形態によれば、前記第１実施形態における（１）〜（４）に示した効果に加えて、以下のような効果を得ることができる。
（５）この継手２３によれば、配管２２の延びる方向が直交方向である場合に、配管２２に対して継手２３の接続管部２３ａを接続する作業を簡単かつ迅速に行うことができる。
（変更例）
なお、前記各実施形態は、次のように変更して具体化することも可能である。
【００２４】
・  図６（ａ）に示すように、一対の接続管部２３ａの延びる方向がなす角度αが６０°をなすように構成することができる。さらに、図６（ｂ）に示すように、一対の接続管部２３ａの延びる方向がなす角度αが４５°をなすように構成することもできる。また、この角度αを任意の角度に設定することも可能である。
【００２５】
・  図７に示すように、第２実施形態において、一対の接続管部２３ａと配管２２との連結を、ねじによる螺合構造に代え、ファスナー３０による連結構造とすることができる。すなわち、接続管部２３ａ端部のフランジ２３ｄに配管２２側のフランジ２２ａを突き合わせ、その状態で両フランジ２３ｄ，２２ａをファスナー３０の保持孔３０ａに挟入して接続管部２３ａと配管２２を連結することができる。
【００２６】
この場合、接続管部２３ａと配管２２とが相対回転できることから、接続管部２３ａと配管２２との接続を一層容易に行うことができる。
さらに、取付金具２６を折り返して断面コの字状に形成し、その折り返し側に腕木２１が挿通される一対の貫通孔２６ａを対向して設けるとともに、両端側に取付ネジ２７が挿通される一対の挿通孔２６ｂを設けることができる。そして、一対の貫通孔２６ａに腕木２１を挿通した状態で一対の挿通孔２６ｂに取付ネジ２７を挿通してナット２７ａで締付けることにより、取付管部２３ｂを腕木２１に対して強固に固定することができる。
【００２７】
・  前記各実施形態の構成をスプリンクラーヘッド用の継手２３とは異なった用途、例えば蛇口用の継手２３などに具体化することもできる。
さらに、前記より把握される技術的思想について以下に記載する。
（イ）前記取付管部内には接続管部内の流路に臨む停滞水防止板を設けたことを特徴とする請求項１から請求項３のいずれか１項に記載の継手。このように構成した場合、請求項１から請求項３のいずれか１項に係る発明の効果に加えて、取付管部内の水が停滞することなく流通して新しい水に入れ替わり、停滞水による衛生上の問題を解消することができる。
（ロ）前記ファスナーの保持孔は複数設けられていることを特徴とする請求項３に記載の継手。このように構成した場合、請求項３に係る発明の効果に加えて、回り止め管部と回転自在管部との連結を強固なものにすることができる。
【符号の説明】
【００２８】
２１…腕木、２２…配管、２２ａ…フランジ、２３…継手、２３ａ…接続管部、２３ｂ…取付管部、２３ｄ…フランジ、２５…回り止め部、２８…回り止め管部、２８ａ…フランジ、２９…回転自在管部、２９ａ…フランジ、３０…ファスナー、３０ａ…保持孔、α…角度。
【図１】
0005771016.tif 000002
【図２】
0005771016.tif 000003
【図３】
0005771016.tif 000004
【図４】
0005771016.tif 000005
【図５】
0005771016.tif 000006
【図６】
0005771016.tif 000007
【図７】
0005771016.tif 000008
【図８】
0005771016.tif 000009
【図９】
0005771016.tif 000010